(57)【要約】【課題】タッチパネルによる文字入力を容易にする電子機器を提供することを課題とする。【解決手段】入力された文字に基づいて情報を提供する電子機器１であって、前記文字を入力するための文字入力画像であって、グループ分けされた文字群の各グループの代表文字のキーが並ぶ文字選択画像の何れかの代表文字のキーが選択されると、該選択された代表文字のグループに属する文字群である関連文字を、選択されている部位の周囲に配置した文字入力画像を表示する画像表示部１００と、を備える。【選択図】図２
2012123461.tif 000002
【特許請求の範囲】
【請求項１】
入力された文字に基づいて情報を提供する電子機器であって、
前記文字を入力するための文字入力画像であって、グループ分けされた文字群の各グループの代表文字のキーが並ぶ文字選択画像の何れかの代表文字のキーが選択されると、該選択された代表文字のグループに属する文字群である関連文字を、選択されている部位の周囲に配置した文字入力画像を表示する画像表示部を備える、
電子機器。
【請求項２】
前記画像表示部は、前記文字選択画像の何れかの代表文字のキーが選択されると、該選択された代表文字の関連文字を変形するキーを、選択されている部位の下側に配置した前記文字入力画像を生成する、
請求項１に記載の電子機器。
【請求項３】
前記関連文字を変形するキーは、該関連文字に濁点記号または半濁点記号を付加するキー又は、文字の大きさを変えるキーであり、
前記画像表示部は、前記関連文字を変形するキーが選択されると、前記文字入力画像の前記関連文字を変形する、
請求項２に記載の電子機器。
【請求項４】
前記画像表示部は、前記文字入力画像を表示した状態で、前記選択されている部位が前記関連文字の位置にスライド移動されると、該スライド移動された部位の関連文字を反転表示する、
請求項１から３の何れか一項に記載の電子機器。
【請求項５】
前記文字群は、日本語のかなであり、
前記代表文字は、五十音順表のあ段に位置する各行の文字である、
請求項１から４の何れか一項に記載の電子機器。
【発明の詳細な説明】
【技術分野】
【０００１】
本発明は、入力された文字に基づいて情報を検索することが可能な電子機器に関する。
【背景技術】
【０００２】
情報の検索が可能な電子機器においては、文字入力を行うことにより、情報の検索を行うことが可能となる。例えば、特許文献１には、ジョグダイヤルで文字入力を行なう車載電子機器が開示されている。
【先行技術文献】
【特許文献】
【０００３】
【特許文献１】特開２０００−２４９５６８号公報
【発明の概要】
【発明が解決しようとする課題】
【０００４】
情報技術の発展により、電子機器（例えば、車載電子機器、携帯端末など）が高機能化の一途を辿っている。このような電子機器の高機能化に伴って増大するユーザ操作の負担を軽減する手段の一つとして、タッチパネルを使ったＧＵＩ（Ｇｒａｐｈｉｃａｌ  Ｕｓｅｒ  Ｉｎｔｅｒｆａｃｅ）がある。しかし、例えば、車載電子機器では、電子機器類の設置スペースが制限される車内において、十分な表示スペースを確保することが難しいため、例えば、文字入力を受けつける場合に多種多様なキーを画面に全て表示すると、ユーザが操作しづらいといった問題がある。また、携帯電話や携帯型表示装置などの携帯端末では、持ち運びしやすいように小型化が求められているため、十分な表示スペースを確保することが難しい。そのため、携帯端末においても、例えば、文字入力を受けつける場合に多種多様なキーを画面に全て表示すると、ユーザが操作しづらいといった問題がある。
【０００５】
本発明は、このような課題に鑑みなされたものであり、タッチパネルによる文字入力を容易にする電子機器を提供することを課題とする。
【課題を解決するための手段】
【０００６】
本発明は、上記課題を解決するため、グループ分けされた文字群の各グループの何れかの代表文字のキーが選択されると、このグループに属する文字群を、選択されている部位の周囲に配置した画像を表示する。
【発明の効果】
【０００７】
タッチパネルによる文字入力が容易になる。
【図面の簡単な説明】
【０００８】
【図１】ＡＶＮ一体機の構成図である。
【図２】ＡＶＮ一体機の文字入力の概念図である。
【図３】文字入力開始処理のフローチャートである。
【図４】代表文字選択処理のフローチャートである。
【図５】文字選択処理のフローチャートである。
【図６】文字入力完了処理のフローチャートである。
【図７】ナビ画面の一例を示す図である。
【図８】文字入力画面の一例を示す図である（数字入力）。
【図９】文字入力画面の一例を示す図である（かな入力）。
【図１０】文字入力画面とキーボードとの対応関係を示した概念図である。
【図１１】清音のかなを入力する際の画面遷移の一例を示す図である。
【図１２】濁音のかなを入力する際の画面遷移の一例を示す図である。
【図１３】半濁音のかなを入力する際の画面遷移の一例を示す図である。
【図１４】文字入力画面に表示される画像の第一変形例を示す図である。
【図１５】文字入力画面に表示される画像の第二変形例を示す図である。
【図１６】文字入力画面に表示される画像の第三変形例を示す図である。
【発明を実施するための形態】
【０００９】
以下、この発明を実施するための形態を例示的に説明する。以下に示す実施形態は例示であり、本願発明の技術的範囲をこれらに限定するものではない。ここでは、電子機器として、車載用の電子機器を実施の形態の一つとして記載するが、本願に係る構成は、車載用の電子機器に限定されず、例えば、可搬型の携帯端末（例えば、ＰＮＤ、携帯電話、携帯型表示装置など）においても実現可能である。
【００１０】
＜構成＞
図１は、本実施形態に係る車載用電子機器（オーディオ機能、ビジュアル機能、ナビゲーション機能を一体的に有する電子機器（以降、ＡＶＮ一体機と称する））の構成図である。ＡＶＮ一体機１は、制御部１００、外部記録媒体再生部１０１、ラジオ受信部１０２、テレビジョン（Television、ＴＶ）受信部１０３、ディスク再生部１０４、ナビゲーション部１０６、分配回路１０７、表示制御装置１０８、音声調整回路１０９、画像出力部１１０、ＶＩＣＳ（Vehicle Information and Communication System）情報受信部１１１、ＧＰＳ（Global Positioning System）情報受信部１１２、セレクタ１１３、メモリ１
１７、通信ユニット１２１、表示部１２２を含む。なお、ＡＶＮ一体機１は、このような構成に限定されるものではなく、他の構成を有してもよい。
【００１１】
制御部１００は、ＡＶＮ一体機１の各部又は接続された外部機器からの信号に基づき、ＡＶＮ一体機１の各部、又は、外部機器を統括的に制御する。制御部１００は、例えば、マイクロコンピュータ（マイコン）を備え、該マイコンがＲＯＭ等のメモリに記憶された各種プログラムを実行することによって、各機能を実現する。
【００１２】
外部記録媒体再生部１０１は、コネクタを備え、該コネクタに接続された外部記録媒体に記録されたデータを読み出して出力する。外部記録媒体は、例えば、ＳＤカード、ｍｉｎｉＳＤカード、ｍｉｃｒｏＳＤカード、その他のフラッシュメモリのメモリカードである。外部録媒体再生部１０１は、読取信号の復号回路等を備え、制御部１００からの制御信号により、オン／オフ、読み込み位置等の各種動作が制御される。
【００１３】
ラジオ受信部１０２は、アンテナにより受信された各ラジオ局から発信されるＡＭ又はＦＭの放送波から、特定の周波数の放送波を選択して受信し、復調して等該放送の音声信号を出力する。ＴＶ受信部１０３は、アンテナにより受信された各放送局から発信される放送波から、セレクタにより特定の周波数の放送波を受信し、受信した映像信号、音声信号及びデータ信号を出力する。ＴＶ受信部１０３は、アナログ放送やデジタル放送を受信可能である。ラジオ受信部１０２及びＴＶ受信部１０３は、同調回路、復調及び復号回路等を備え、制御部１００からの制御信号により、オン／オフ、受信周波数等の各種動作が制御される。
【００１４】
ディスク再生部１０４は、ＣＤ（Compact Disc）、ＭＤ（Mini Disc）、ＤＶＤ（Digital Versatile Disc）、及びブルーレイディスク（Blu-ray Disc）などのディスクに記録
されているデータをピックアップにより読込み、読み込んだデータに基づく、音声信号、映像信号を出力する。ディスク再生部１０４は、光学ピックアップ、ピックアップディスク駆動機構、ピックアップディスク駆動機構の制御回路、読取信号の復号回路等を備える
。ディスク再生部１０４は、制御部１００からの制御信号により、オン／オフ、読み込み位置等の各種動作が制御される。
【００１５】
ＶＩＣＳ情報受信部１１１は、交通情報通信システム（ＶＩＣＳ）に係る交通情報を受信し、受信した交通情報を出力する。ＶＩＣＳ情報受信部１１１は、交通情報通信システムからのデータを受信する受信機（ＦＭ受信機、電波ビーコン受信機、光ビーコン受信機）、受信したデータを復号する復号回路等を備える。ＧＰＳ情報受信機１１２は、ＧＰＳ衛星からのＧＰＳ信号に基づき自車位置を検出し、検出した現在位置情報を出力する。ＧＰＳ情報受信部１１２は、ＧＰＳ信号を受信する受信回路、受信したＧＰＳ信号に基づき自車位置を算出する演算部等を備える。
【００１６】
ナビゲーション部１０６は、地図上に自車位置や目的地までの経路を表示したり、交差点等で音声等により右左折等の進行方向案内を行ったり、ＶＩＣＳ情報受信部１１１から交通情報を受信して表示したり、ＧＰＳ情報受信部１１２から自車位置情報を受信して表示したりして、目的地までの経路案内を行う。ナビゲーション部１０６は、ナビゲーションの為に利用される地図情報を記録するハードディスク、各種演算処理を行うＣＰＵ（Central Processing unit）、各種処理のためにデータを記憶するＲＡＭ（Random Access Memory）等のメモリを備える。ナビゲーション部１０６は、制御部１００からの制御信号
により、オン／オフ、各種動作が制御される。
【００１７】
分配回路１０７は、制御部１０１の制御信号により、出力することが指定された各種ソース（ラジオ受信部１０２、ＴＶ受信部１０３、ディスク再生部１０４、ＨＤ再生部１０５、及びナビゲーション部１０６）の音声信号と画像信号とを画像調整回路１０８及び音声調整回路１０９に出力する。分配回路１０７は、リレーまたはスイッチングトランジスタ等の電子回路で構成されたスイッチ群を備える。
【００１８】
画像調整回路１０８は、制御部１００の制御信号により、入力された画像信号に対し、輝度や色調、コントラストなどを調整し、調整した各画像信号を出力する。画像調整回路１０８は、画像データを記憶するメモリ、画像データを演算処理するデジタルシグナリングプロセッサ等の演算回路等を備える。
【００１９】
画像出力部１１０は、画像調整回路１０８から入力された画像信号と、制御部１００から表示部１２２に表示させる表示画像信号とを入力して画像合成等の処理を施し、当該処理を施した画像信号に基づき表示部１２２を駆動する。画像出力部１１０は、例えば、演算処理により、画像処理を行う画像用に特化された演算処理回路である画像ＡＳＩＣ、画像処理及び出力用に画像データを記憶するビデオメモリ、画像出力用ビデオメモリに記憶された画像データに基づき表示部を駆動する画像駆動回路等を備える。
【００２０】
表示部１２２は、画像出力部１１０から入力された画像信号に基づき画像を表示する。表示部１２２は、例えば、液晶ディスプレイ、有機ＥＬディスプレイ、プラズマディスプレイ、冷陰極フラットパネルディスプレイ等である。表示部１２２は、バックライト２００、液晶パネル２０１、タッチパネル２０２を備える。バックライト２００は、液晶パネル２０１の照明である。タッチパネル２０２は、抵抗膜方式、表面弾性波方式、赤外線方式、電磁誘導方式、及び静電容量方式の何れであってもよい。タッチパネル２０２は、ユーザによって押下された座標の座標情報を制御部１００に出力し、制御部１００は、この座標情報と表示画面とから、ユーザによって選択されたスイッチを判定する。
【００２１】
音声調整回路１０９は、制御部１００の制御信号により、入力された音声信号に対し、音量、音声を調整し、調整した音声信号を出力する。音声調整回路１０９は、音声データを記憶するメモリ、音声データを演算処理するデジタルシグナルプロセッサ等の演算回路
、トランジスタ、抵抗、コイル等により構成される増幅又は減衰回路や共振回路等を備える。スピーカ１６は、音声調整回路１０９から出力された音声信号を音声として出力する。
【００２２】
メモリ１１７は、ＡＶＮ一体機１に内蔵された、各種データやプログラムを記憶するメモリである。メモリ１１７は、例えば、ＲＡＭやフラッシュＲＯＭ等を含む。
【００２３】
通信ユニット１２１は、アンテナに接続された、例えば、ＤＡＲＣ（Dedicated Short Range Communication）、赤外線通信、ブルートゥース（登録商標）等の近距離の無線通
信のための通信インターフェースである。
【００２４】
＜文字入力の概要＞
ＡＶＮ一体機１は、文字の入力機能を有しており、様々な場面でユーザはＡＶＮ一体機１に文字を入力できるようになっている。例えば、オーディオモードでは、音声データをタイトル及びアーティストの名称から検索するために文字を入力できたり、音声データのタイトル及びアーティストの名称の修正や、音声データをまとめたプレイリストの名称の編集の場面などで文字を入力できたりする。また、ナビゲーションモードでは、目的地の検索のためのキーワードの設定や、登録したメモリ地点の名称の修正の場面などで文字を入力できる。
【００２５】
図２は、ＡＶＮ一体機１の文字入力の概念図である。図２の画像Ｄ１は、文字入力が必要となる場面で所定の操作を行なうことで表示される。図２に示されるように、画像Ｄ１は、かな入力用の５０音のうち各行のあ段の文字が並んでいる。この画像は、本発明でいう文字選択画像の一態様である。かな入力においては、本発明でいう“各グループ”が５０音表の各行に相当し、“代表文字”が各行のあ段の文字に相当し、そして、“代表文字”のグループに含まれる文字、例えば、“代表文字”が「あ」の場合、「あ」のグループに属する文字群である「あ、い、う、え、お、」の文字及びこれらの文字を変形する変形文字が“関連文字”に相当する。
【００２６】
画像Ｄ１において、例えば、「は」のボタンにタッチすると、画像Ｄ２に示すように「は」のグループに属する文字群である「は、ひ、ふ、へ、ほ、」及びこれらの文字を変形する変形キーをその周囲に配置した画像が表示される。この画像は、本発明でいう文字入力画像の一態様である。ここで、指をタッチしたまま、例えば「へ」の位置へスライドすると、画像Ｄ３に示すように「へ」が反転表示される。指を離すと、「へ」の入力が確定する。
【００２７】
一方、画像Ｄ２において、指をタッチしたまま、例えば「゛小゜」の位置へスライドして指を離すと、画像Ｄ４に示すように「゛小゜」が反転表示されると共に、表示されていた「は、ひ、ふ、へ、ほ」に濁点記号が付く。ここで、例えば、「べ」のボタンをタッチすると、画像Ｄ５に示すように「べ」が反転表示される。指を離すと、「べ」の入力が確定する。
【００２８】
一方、画像Ｄ４において、例えば「゛小゜」のボタンを再度タッチすると、画像Ｄ６に示すように「゛小゜」が反転表示されると共に、表示されていた「ば、び、ぶ、べ、ぼ」の濁点記号が半濁点記号に変わる。ここで、例えば、「ぺ」のボタンをタッチすると、画像Ｄ７に示すように「ぺ」が反転表示される。指を離すと、「ぺ」の入力が確定する。
【００２９】
なお、ここでは、タッチパネルを用いた文字入力の構成を記載しているが、これに限定されず、例えば、ＡＶＮ一体機１を操作可能な操作器（ジョグダイヤルやリモートコマンダなど）を用いた文字入力の構成であってもよい。このような、操作器を用いて文字入力
を行う場合（タッチパネルのように表示画面を直接操作するような操作でない場合）、例えば、文字入力画像において、ポインタ（例えば、矢印の画像）を代表文字の位置に移動させて、操作器において選択操作を行い、この選択操作を維持した状態で、関連文字の位置にポインタを移動させてから、選択状態を解除することにより、上述した処理と同様の処理が実現できる。また、濁点文字への変換や半濁点文字への変換においても、操作器によるポインタの移動で実現可能である。
【００３０】
ＡＶＮ一体機１の文字入力は、このように、あ行からわ行の各グループにグループ分けされた入力候補のかな文字群の各行のあ段の文字が並ぶ文字選択画像Ｄ１の何れかの文字がタッチ操作で選択されると、選択された文字の行に属するあ段からお段までの文字を、押されている部位の周囲に配置し、変形キーを、押されている部位の下側に配置した画像Ｄ２を生成する。このため、電子機器類の設置スペースが制限される車内に置かれることで十分な表示スペースを確保できなくても、多種多様なキーを画面に適切に表示して文字入力が容易になる。
【００３１】
＜文字入力の処理フロー＞
以下、ＡＶＮ一体機１で実行される文字入力の処理フローについて、図３〜６の処理フロー図、及び図７〜１３の画像図に基づいて説明する。
【００３２】
＜フロー１：文字入力開始処理：図３＞
本フロー１は、文字の入力画面を表示する際（以下、文字入力操作モードという）に制御部１００が実行する処理である。このフロー１は、例えば、目的地の住所入力や選曲時のキーワード入力といった文字の入力を必要とする操作モードが選択された場合に実行される。
【００３３】
（ステップＳ１０１）文字入力の種別判断を行なう。
【００３４】
制御部１００は、画面の何れのボタンが操作されてか否かについて、タッチパネル２０２から通知される画面上の座標情報と、画像出力部１１０を介して液晶パネル２０１に表示させている画像中の各ボタンの座標とを比較することにより判定する。また、制御部１００は、ナビゲーション部１０６を介してＧＰＳ情報受信部１１２から取得される緯度および経度の情報や、メモリ１１７に格納された地図データに基づいてナビゲーション画面を生成すると共に、音声調整回路１０９を介してスピーカ１６からルートガイド音声を出力する。
【００３５】
ＡＶＮ一体機１の文字入力には、かな入力モード、英字入力モード、数字入力モードの３モードが用意されている。また、目的地の設定操作には、「エリア」、「ジャンル」、「周辺」、「施設名」、「住所」、「郵便番号」、「電話番号」の７つのメニューが用意されている。制御部１００には、各メニューと文字入力モードとの対応関係を既定したテーブルが予め用意されており、図７のＤ１０２の画面で選択されたメニューに応じて文字入力の種別を決定する。このテーブルは、例えば、かな入力モードは「エリア」、「ジャンル」、「周辺」、「施設名」、「住所」、数字入力モードは「郵便番号」、「電話番号」というように、各モードとメニューとの対応関係が規定されている。
【００３６】
制御部１００は、例えば、目的地の設定操作で「電話番号」のメニューが選択された場合、上記テーブルに基づき、文字入力モードの種別を数字入力モードに決定する。
【００３７】
（ステップＳ１０２）制御部１００は、決定した文字入力モードに対応する画像データをメモリ１１７から選択して読み出す。
【００３８】
（ステップＳ１０３）制御部１００は、メモリ１１７から読み出した画像データを画像表示制御部１０８へ引き渡し、画像出力部１１０を介して液晶パネル２０１に入力文字枠と共に表示させる。図８の画面Ｄ１０３は、このときに表示される画面の一例である。目的地の設定操作で「電話番号」のメニューが選択されると、電話番号の入力に必要な数字のボタンが配置されたキーボードＫと入力文字枠Ｆとが表示される。
【００３９】
なお、目的地の設定操作で例えば「施設名」のようにかな入力モードに対応するメニューが選択されていれば、図９の画面Ｄ１０４に示すように、施設名の入力に必要なかなのボタンが配置された画面が表示される。
【００４０】
制御部１００は、図８の画面Ｄ１０３や図９の画面Ｄ１０４に示したような文字入力画面を表示させている状態で、以下に示す３つのフロー（フロー２〜４）を実行する。
【００４１】
＜フロー２：代表文字選択処理：図４＞
本フロー２は、文字入力操作モードにおいて、制御部１００が後述のフロー３の前後、或いはフロー４と並列に繰り返し実行する処理である。このフロー２は、文字入力のモードを切り替える際の処理であり、かな入力、英字入力、及び数字入力のうちからユーザが入力モードを選択する処理である。
【００４２】
（ステップＳ２０１）制御部１００は、タッチパネル２０２から座標情報が通知された場合、接触があったと判断する。通知されなければ接触が無かったと判断し処理を終了する。
【００４３】
（ステップＳ２０２）制御部１００は、タッチパネル２０２から通知された座標情報と液晶パネル２０１に表示されている代表文字の座標とを比較する。タッチパネル２０２から通知された座標情報が代表文字の座標の範囲内であれば、タッチされた領域が代表文字の領域（代表文字の選択可能な領域）内であると判定し、代表文字関連文字群の環状表示処理（Ｓ２０５）を実行する。他方、制御部１００は、タッチパネル２０２から通知された座標情報が代表文字の座標の範囲外であれば、タッチされた領域が代表文字の領域外であると判定し、接触位置の移動方向の検知処理（Ｓ２０３）を実行する。
【００４４】
（ステップＳ２０３）制御部１００は、タッチパネル２０２から通知される座標情報を解析し、タッチされている位置の移動方向を検知する。タッチされている位置の移動方向は、タッチパネル２０２から通知される座標情報が示す座標値の増減に基づいて判定する。例えば、タッチパネル２０２の上下方向の座標値が、上方向の場合に増加し、下方向の場合に減少するように規定されている場合、タッチパネル２０２から通知される座標情報が示す縦軸の座標値の微分値が正であれば上方向へ移動していると判定し、微分値が負であれば下方向へ移動していると判定し、微分値がゼロであれば上下方向には移動せずに止まっていると判定する。
【００４５】
（ステップＳ２０４）制御部１００は、移動方向に応じた種別の文字入力画面に切り替える。ＡＶＮ一体機１が生成する文字入力画面は、図１０に示すように、数字のボタンが並ぶ領域とかな文字のボタンが並ぶ領域と英字のボタンが並ぶ領域が縦に３段状に並んだキーボードの一部を画面上に映し出すという概念の下、文字入力画面が構成されている。制御部１００は、例えば、図９の画面Ｄ１０４が表示されているときに、ステップＳ２０３の処理で上方向のタッチ操作が検知されれば、液晶パネル２０１に表示させている画面を、キーボードを上方向へスライドさせる。これにより、英字のボタンが画面に映し出された図１０の画像Ｄ１０５が液晶パネル２０１に表示される。なお、制御部１００は、ステップＳ２０３の処理で上下の何れかの方向への移動が検知されなければ、キーボードのスライド処理を行わない。
【００４６】
（ステップＳ２０５）制御部１００は、ステップＳ２０２の処理において、タッチされた領域が代表文字の領域内であると判定したら、タッチされた代表文字に関連する関連文字を環状に表示した画像を生成し、液晶パネル２０１に表示させる。例えば、かな文字入力モードにおいて、「か」のボタンが押されると、５０音順表におけるか行の代表文字である「か」に関連する「か、き、く、け、こ、゛小゜」の関連文字を環状に表示した画像を生成し、図１１の画面Ｄ１０６に示すような画面を液晶パネル２０１に表示させる。
【００４７】
＜フロー３：文字選択処理：図５＞
本フロー３は、文字入力操作モードにおいて、制御部１００が前述のフロー２の前後、或いはフロー４と並列に繰り返し実行する処理である。このフロー３は、入力文字枠Ｆに入力する文字を選択する処理である。
【００４８】
（ステップＳ３０１）制御部１００は、ステップＳ２０５の処理で生成された図１１の画面Ｄ１０６が表示された状態において、画面にタッチしている指の接触位置をタッチパネル２０２から送られる座標情報で検知する。
【００４９】
（ステップＳ３０２）制御部１００は、画面にタッチしている指の接触位置に対応する関連文字を反転表示する。制御部１００は、例えば、図１１の画面Ｄ１０６に示す画面が表示されている状態で、タッチパネル２０２から通知される座標情報が「こ」のボタンの座標の範囲に入れば、「こ」を画面Ｄ１０７に示すように反転表示する。なお、制御部１００は、入力文字枠Ｆの下に、「こ」から始まる変換候補の文字列をメモリ１１７の辞書ファイルから読み出し、これらの文字列をボタン表示した文字列ボタン群Ｔを表示させる。
【００５０】
（ステップＳ３０３）制御部１００は、指の接触位置が、関連文字を小文字に変形したり、或いは関連文字に濁点記号や半濁点記号を付して文字種を変形したりする変形キー「゛小゜」の領域内であるか否かを判定する。
【００５１】
（ステップＳ３０４）制御部１００は、ステップＳ３０３の処理が否定判定であれば、指がタッチパネル２０２から離れたか否かを判定する。ここで、制御部１００は、指がタッチパネル２０２から離れていない場合、換言すると、タッチパネル２０２から座標情報が通知され続けている場合、否定判定を下す。制御部１００は、否定判定を下した場合、本処理フロー３を繰り返す。すなわち、制御部１００は、ステップＳ３０１以降の処理を再び実行する。一方、制御部１００は、指がタッチパネル２０２から離れた場合、換言すると、タッチパネル２０２から座標情報が通知されなくなった場合、肯定判定を下す。この場合、制御部１００は、指が離脱したときの領域を下記の処理で特定する。
【００５２】
（ステップＳ３０５）制御部１００は、ステップＳ３０４の処理で肯定判定を下した場合、指が文字領域、すなわち、関連文字「か、き、く、け、こ」の領域から離脱したのか否かを、タッチパネル２０２から最後に通知された座標情報と関連文字の座標との比較に基づいて判定する。
【００５３】
（ステップＳ３０６）制御部１００は、ステップＳ３０５の処理で肯定判定を下した場合、関連文字「か、き、く、け、こ」のうち何れの文字の領域から指が離脱したのかを、タッチパネル２０２から最後に通知された座標情報と各関連文字の座標との比較に基づいて特定する。
【００５４】
（ステップＳ３０７）制御部１００は、ステップＳ３０６の処理で特定した離脱位置に対応する文字を、入力文字枠Ｆに追加する。例えば、図１１の画面Ｄ１０７に示すように
、「こ」を押していた指がタッチパネル２０２から離れると、画面Ｄ１０８に示すように、「こ」が入力文字枠Ｆに追加される。
【００５５】
（ステップＳ３０８）一方、制御部１００は、ステップＳ３０５の処理で否定判定を下した場合、指が文字種領域、すなわち、変形キー「゛小゜」の領域から離脱したのか否かを、タッチパネル２０２から最後に通知された座標情報と変形キーの座標との比較に基づいて判定する。
【００５６】
（ステップＳ３０９）制御部１００は、ステップＳ３０８の処理で肯定判定を下した場合、指がタッチパネル２０２から離れてから１０秒が経過しているか否かを、タッチパネル２０２から座標情報が通知されなくなってから計時を開始したタイマーのカウンタ値に基づいて判定する。制御部１００は、否定判定を下した場合、本処理フロー３を繰り返す。すなわち、制御部１００は、ステップＳ３０１以降の処理を再び実行する。一方、制御部１００は、肯定判定を下した場合、次の処理を実行する。
【００５７】
（ステップＳ３１０）制御部１００は、ステップＳ３０７で入力文字枠Ｆに文字を追加した場合、ステップＳ３０８で否定判定を下した場合、或いはステップＳ３０９で肯定判定を下した場合、フロー２のステップＳ２０５の処理において環状に表示した関連文字の画像を消去する。例えば、図１１の画面Ｄ１０７に示すように、「こ」を押していた指がタッチパネル２０２から離れると、画面Ｄ１０８に示すように、「こ」が入力文字枠Ｆに追加されると共に、環状に表示されていた関連文字の画像が消去される。
【００５８】
（ステップＳ３１１）また、制御部１００は、ステップＳ３０３の処理が肯定判定であれば、文字種領域である変形キー「゛小゜」の領域からの指の離脱の有無を、座標情報を通知するタッチパネル２０２からの通知が途切れたか否かに基づいて判定する。制御部１００は、否定判定を下した場合、本処理フロー３を繰り返す。すなわち、制御部１００は、環状に表示した関連文字の文字種を変形することなく、ステップＳ３０１以降の処理を再び実行する。一方、制御部１００は、肯定判定を下した場合、次の処理を実行する。
【００５９】
（ステップＳ３１２）制御部１００は、ステップＳ３１１の処理が肯定判定であれば、フロー２のステップＳ２０５の処理において環状に表示した関連文字の文字種を変形する。例えば、図１２の画面Ｄ１０９に示すように代表文字「は」が押された後、タッチされている指が変形キー「゛小゜」の領域へスライドされた後にタッチパネル２０２から離脱すると、制御部１００は、環状に表示した関連文字「は、ひ、ふ、へ、ほ」を、画面Ｄ１１０に示すように、濁点記号を付した文字「ば、び、ぶ、べ、ぼ」に変形する。制御部１００は、文字を変形したのち、本処理フロー３を繰り返す。すなわち、制御部１００は、ステップＳ３０１以降の処理を再び実行する。なお、英字の場合には、文字の大きさを変形する。
【００６０】
本ステップＳ３１２の処理により、環状に表示された関連文字が濁点を付した文字に変形された状態で、例えば、「べ」がタッチされると、制御部１００は、上述したフロー３のステップＳ３０１〜Ｓ３０７の処理を実行し、画面Ｄ１１１に示すように、入力文字枠Ｆに「べ」を追加する。
【００６１】
また、本ステップＳ３１２の処理を実行する際、例えば、図１３の画面Ｄ１１２に示すように、環状に表示された関連文字が既に濁点を付した文字に変形されている場合、制御部１００は、環状に表示した関連文字「ば、び、ぶ、べ、ぼ」を、画面Ｄ１１３に示すように、半濁点記号を付した文字「ぱ、ぴ、ぷ、ぺ、ぽ」に変形する。環状に表示された関連文字が半濁点を付した文字に変形された状態で、例えば、「ぺ」がタッチされると、制御部１００は、上述したフロー３のステップＳ３０１〜Ｓ３０７の処理を実行し、画面Ｄ
１１４に示すように、入力文字枠Ｆに「ぺ」を追加する。
【００６２】
制御部１００は、フロー２のステップＳ２０５において関連文字を環状に表示した後、これを何れかの処理で消去するまでの間、本フロー３で実行される一連の処理を繰り返し実行する。
【００６３】
＜フロー４：文字入力完了処理：図６＞
本フロー４は、文字入力操作モードにおいて、制御部１００が前述のフロー２，３の前後、或いは並列に繰り返し実行する処理である。このフロー４は、入力文字枠Ｆに入力した文字を確定する処理であり、確定操作、取消操作、一定時間の操作無しの何れかの場合に、文字入力操作モードを完了する。
【００６４】
（ステップＳ４０１）制御部１００は、上述したフロー１を実行してキーボードＫと入力文字枠Ｆを画面に表示した状態で、タッチパネル２０２がタッチされない時間、すなわち、無操作時間を、タッチパネル２０２から座標情報が通知されなくなってから計時を開始したタイマーのカウンタ値に基づいて計測する。
【００６５】
（ステップＳ４０２）制御部１００は、無操作時間が１０秒を経過しているか否かを判定する。制御部１００は、無操作時間が１０秒を経過していなければ、次のステップＳ４０３の処理を実行する。
【００６６】
（ステップＳ４０３）制御部１００は、ステップＳ４０２の処理で否定判定を下した場合、取消操作が行われたか否かを、修正ボタンＣの操作の有無に基づいて判定する。修正ボタンＣの操作の有無は、タッチパネル２０２から通知される座標情報と、修正ボタンＣを表示している座標との対比により判定する。制御部１００は、取消操作が行われていないと判定したら、次のステップＳ４０４の処理を実行する。
【００６７】
（ステップＳ４０４）制御部１００は、ステップＳ４０３の処理で否定判定を下した場合、入力する文字を確定する操作が行われたか否かを、変換候補の文字列ボタン群Ｔの操作の有無に基づいて判定する。例えば、図１１の画面Ｄ１０８において、「こ」から始まる変換候補の文字列をボタン表示した文字列ボタン群Ｔのうち何れかのボタンが押されていれば、制御部１００は、入力する文字を確定する操作が行われたものとし、肯定判定を下す。一方、制御部１００は、文字列ボタン群Ｔのうち何れかのボタンも押されなければ、入力する文字を確定する操作は行われないものとし、否定判定を下す。この場合、制御部１００は、本処理フロー４を繰り返す。すなわち、制御部１００は、ステップＳ４０１以降の処理を再び実行する。
【００６８】
（ステップＳ４０５）制御部１００は、ステップＳ４０４の処理で肯定判定を下した場合、確定した入力文字列を対象制御部に提供する。ここで、対象制御部とは、入力された文字列に基づいて各種の処理を実行する機能部であり、例えば、入力された文字列に基づいて決定された目的地までのルート検索を行うナビゲーション部１０６、入力された文字列に基づいて選曲した楽曲を再生するディスク再生部１０４、入力された文字列に基づいて選局した放送局の放送を受信するラジオ受信部１０２、その他、ＡＶＮ一体機１が有する各種機能部が対象である。
【００６９】
（ステップＳ４０６）制御部１００は、ステップＳ４０２あるいはステップＳ４０３の処理で肯定判定を下すか、或いはステップＳ４０５の処理で入力文字列を対象制御部に提供したら文字入力画面を消去する。
【００７０】
以上、一連の処理により、入力候補の文字群全て表示する場合に比べて、表示される文
字入力画像が簡素化され、タッチパネルによる文字入力が容易になる。すなわち、入力候補の文字群が全て表示されるのではなく（例えば、かな文字の場合は５０音全てが表示されるのではなく）、文字群をグループ化した各グループの代表文字のみを表示し、何れかの代表文字が押されるとこの代表文字の関連文字を表示するようにしているので、表示される文字入力画像が大幅に簡素化される。このため、文字のボタンが限られた領域に密集することなく、タッチパネルによる文字入力が容易になる。また、代表文字にタッチした指をそのままスライド移動するだけで、代表文字に関連する文字やこれらを変形した文字を入力することができるので、押下操作を繰り返して所望の文字を選択する場合に比べて、文字入力が大幅に簡素化できる。
【００７１】
＜変形例＞
なお、上記実施形態では、関連文字のうち他のグループに共通の変形キーについて、代表文字の下側に配置した画像を生成していたが、上記ＡＶＮ一体機１に表示される画像は以下のように変形してもよい。
【００７２】
図１４は、上記実施形態に係るＡＶＮ一体機１の第一変形例が表示する画像を示した図である。制御部１００は、ステップＳ２０５の処理によって表示される画面Ｄ１０６に示す画面のうち関連文字の部分の画像を、図１４に示すような画像に変形してもよい。すなわち、制御部１００は、５０音順表の各行の代表文字が選択されると、この代表文字に関連する関連文字を環状に表示するが、ここで表示される関連文字はひらがなのみならずカタカナも含まれている。つまり、制御部１００は、二重に表示した環状の表示領域のうち内側にひらがなを表示し、外側にカタカナを表示する。
【００７３】
画像Ｄ１ｘにおいて、例えば、「は」のボタンにタッチすると、画像Ｄ２ｘに示すように「は」のグループに属する文字群のうちひらがなである「は、ひ、ふ、へ、ほ、」を内周側に配置し、「は」のグループに属する文字群のうちカタカナである「ハ、ヒ、フ、へ、ホ」を外周側に配置した画像が表示される。ここで、指をタッチしたまま、例えば「は」の位置へスライドすると、画像Ｄ３ｘに示すように「は」が反転表示される。ここで指を離すと、「は」の入力が確定する。また、指を離さずにタッチしたまま、例えば「ハ」の位置へスライドすると、画像Ｄ４ｘに示すように「ハ」が反転表示される。ここで指を離すと、「ハ」の入力が確定する。
【００７４】
制御部１００がこのような画像を表示すれば、入力したひらがなをカタカナへ改めて変形する手間が省けるため、ユーザの操作性が向上する。なお、外側に表示する関連文字は、内側に表示した関連文字のカタカナ表記に限定されるものではなく、例えば、内側に表示した関連文字に濁点記号や半濁点記号を付した文字であってもよい。また、関連文字は、二重の環状に表示されるものに限らず、例えば、三重の環状に表示されてもよい。この場合、例えば、内側に普通のひらがなを表示し、中側に濁点記号を付したひらがなを表示し、外側に半濁点記号を付したひらがなを表示するようにしてもよい。
【００７５】
図１５は、上記実施形態に係るＡＶＮ一体機１の第二変形例が表示する画像を示した図である。制御部１００は、ステップＳ３０２の処理によって表示される画面Ｄ１０７に示す画面のうち関連文字の部分の画像を、図１５に示すような画像に変形してもよい。すなわち、制御部１００は、環状に表示された関連文字の何れかを選択すると、選択された関連文字に濁点記号や半濁点記号を付した文字を、選択された関連文字の上下に隣接して表示する。
【００７６】
画像Ｄ１ｙにおいて、例えば、「は」のボタンにタッチすると、画像Ｄ２ｙに示すように「は」のグループに属する文字群である「は、ひ、ふ、へ、ほ、゛小゜」を環状に配置した画像が表示される。ここで、指をタッチしたまま、例えば「へ」の位置へスライドす
ると、画像Ｄ３ｙに示すように「へ」が反転表示されると共に、濁点記号を付した文字「べ」が上側に隣接して表示され、半濁点記号を付した文字「ぺ」が下側に隣接して表示される。ここで指を離すと、「べ」の入力が確定する。また、指を離さずにタッチしたまま、例えば「べ」の位置へスライドすると、画像Ｄ４ｙに示すように「べ」が反転表示される。ここで指を離すと、「べ」の入力が確定する。また、指を離さずにタッチしたまま、例えば「ぺ」の位置へスライドすると、画像Ｄ５ｙに示すように「ぺ」が反転表示される。ここで指を離すと、「ぺ」の入力が確定する。
【００７７】
制御部１００がこのような画像を表示すれば、指をスライドさせたままの状態で特定のひらがなを選択し、或いはこれに濁点記号や半濁点記号を付したひらがなを選択して入力することができるため、ユーザの操作性が向上する。なお、選択した関連文字に隣接して表示する文字は、濁点記号や半濁点記号を付した文字のみならず、ひらがなをカタカナに変形した文字であってもよい。また、選択した関連文字に隣接して表示する文字は、選択した文字の上下のみならず、左右等に配置してもよい。また、選択した関連文字に隣接して表示する文字は、選択していない関連文字に重ならないように表示してもよい。
【００７８】
また、上記実施形態や各変形例では、選択した代表文字の周囲に関連文字を環状に配置していたが、これらの関連文字は、代表文字の周囲を取り囲むように表示されていれば、環状でなく、例えば、図１６に示すように方形状に表示されていてもよい。また、上記実施形態や各変形例では、特定の文字を例に挙げて説明したが、本願発明の技術的範囲は、これらの態様に限定されるものではなく、如何なる文字についても同様に適用できる。
【００７９】
本願に記載の構成は、上述した課題を解決するための実施の形態の一つであり、グループ分けされた文字群の各グループの何れかの代表文字のキーが選択されると、このグループに属する文字群を、選択されている部位の周囲に配置した画像を表示する。
【００８０】
詳細には、入力された文字に基づいて情報を提供する電子機器であって、前記文字を入力するための文字入力画像であって、グループ分けされた文字群の各グループの代表文字のキーが並ぶ文字選択画像の何れかの代表文字のキーが選択されると、該選択された代表文字のグループに属する文字群である関連文字を、選択されている部位の周囲に配置した文字入力画像を表示する画像表示部を備える。
【００８１】
上記電子機器はタッチパネルを有しており、各種機能に関わる操作をユーザによるタッチ操作で実現する。
【００８２】
上記電子機器は、タッチパネルに画像を表示するものであり、ナビゲーションやその他各種機能に関わる文字入力画像を表示する。ここで、各種機能とは、本電子機器に接続され、或いは該電子機器内のデバイス類と制御部が協働して実現する機能であり、タッチパネルを介した文字入力を使って実現される機能である。このような機能としては、例えば、カーナビゲーションの目的地を設定する機能や、音楽プレーヤの選曲機能等を例示できる。画像表示部は、グラフィックデータに基づいて描画される文字入力画像を表示する。画像表示部が表示画像を生成する際に参照するキー等のグラフィックデータは、予め人為的に作成されて記憶媒体に格納されたデータである。
【００８３】
画像表示部は、このような各種機能によって実現される各種情報の提供の用に供する文字入力画像を表示するが、ここで表示される文字のキーは、入力候補の文字群全てではなく、これらの文字群を一定の基準でグループ分けした各グループの代表文字のキーを表示している。例えば、文字群が日本語のかなであれば、代表文字は、五十音順表のあ段に位置する各行の文字とする。そして、これらの代表文字のうち何れかのキーが選択されると、選択された代表文字に関連する関連文字を、選択されている部位の周囲に配置した入力
画像を表示することで、入力候補の文字群全て表示する場合に比べて、表示される文字入力画像が簡素化され、タッチパネルによる文字入力が容易になる。
【００８４】
なお、前記画像表示部は、前記文字選択画像の何れかの代表文字のキーがタッチ操作で選択されると、該選択された代表文字の関連文字を変形するキーを、選択されている部位の下側に配置した前記文字入力画像を生成するものであってもよい。
【００８５】
関連文字を変形するキーとしては、例えば、関連文字に濁点記号または半濁点記号を付加するキー又は、文字の大きさを変えるキーを例示できる。このようなキーは、一般的に、各グループにおいて共通的に用いられるキーとして捉えることもできるため、このような使用頻度の高いキーが、タッチ操作で選択されている部位の下側に配置されていて指で隠れていても、ユーザはキーの存在を認知できる。このため、表示される文字入力画像が簡素化されつつ、タッチパネルによる文字入力が容易である。画像表示部は、例えば、関連文字を変形するキーが選択されると、表示している文字入力画像の関連文字を変形することにより、ユーザは、入力しようとしている文字が変形後の文字であることを容易に認知できる。
【００８６】
また、前記画像表示部は、前記文字入力画像を表示した状態で、前記選択されている部位が前記関連文字の位置にスライド移動されると、該スライド移動された部位の関連文字を反転表示するものであってもよい。スライド移動して移動先の部位の関連文字が反転表示されれば、関連文字の選択操作が容易であり、押しボタン操作を繰り返すことの煩わしさがないので、タッチパネルによる文字入力が容易になる。
【符号の説明】
【００８７】
１・・・ＡＶＮ一体機
１００・・・制御部
２０２・・・タッチパネル
【図１】
2012123461.tif 000003
【図２】
2012123461.tif 000004
【図３】
2012123461.tif 000005
【図４】
2012123461.tif 000006
【図５】
2012123461.tif 000007
【図６】
2012123461.tif 000008
【図７】
2012123461.tif 000009
【図８】
2012123461.tif 000010
【図９】
2012123461.tif 000011
【図１０】
2012123461.tif 000012
【図１１】
2012123461.tif 000013
【図１２】
2012123461.tif 000014
【図１３】
2012123461.tif 000015
【図１４】
2012123461.tif 000016
【図１５】
2012123461.tif 000017
【図１６】
2012123461.tif 000018